(57)【要約】      （修正有）【課題】施工に必要な諸費用および用地取得費用を低く抑えることができる低コストで小型の落石防護網装置及び落石防護網用アンカーを提供する。【解決手段】斜面に立設された複数の支柱3と、支柱に吊り下げ支持され、落石の衝突エネルギを吸収する複数の縦張りロープ2と、複数の縦張りロープと交差するように支柱の相互間に張設され、落石の衝突エネルギを吸収する複数の横張りロープと、対象斜面を覆うように複数の縦張りロープおよび複数の横張りロープに連結支持され、落石の衝突エネルギを縦横ロープにそれぞれ伝達する防護網7と、支柱に連結され、その一部が地中に埋設され、埋設部分2gが充填固化物2bによって地中に固定されたロープアンカー2aとを有する。【選択図】図３
2011074715.tif 000002
【特許請求の範囲】
【請求項１】
落石防止の対象斜面を取り囲むように互いに間隔をあけて立設され、変位可能な継手を介してアンカーに連結された基部を有する複数の支柱と、
前記支柱に吊り下げ支持され、落石の衝突エネルギを吸収する複数の縦張りロープと、
前記複数の縦張りロープと交差するように支柱の相互間に張設され、落石の衝突エネルギを吸収する複数の横張りロープと、
前記対象斜面を覆うように前記複数の縦張りロープおよび前記複数の横張りロープに連結支持され、落石の衝突エネルギを前記縦張りロープおよび前記横張りロープにそれぞれ伝達する防護網と、
前記支柱に連結され、その一部が地中に埋設され、前記埋設部分が充填固化物によって地中に固定されたロープアンカーと、
を具備することを特徴とする落石防護網装置。
【請求項２】
前記ロープアンカーの埋設部分と地上部分とのなす角度βが１３５°以上１８０°以下の範囲にあることを特徴とする請求項１記載の落石防護網装置。
【請求項３】
防護網と複数の縦張りおよび横張りロープとからなる防護網構造体にかかる荷重を支柱に支持された縦張りロープを介して受ける落石防護網用アンカーであって、
前記支柱が前記縦張りロープから受ける荷重に対向する向きに張力が作用するように前記支柱に張力調整部材を介して一端が連結されたロープからなり、他端を含む部分が前記支柱が立てられた斜面の地中に埋設され、前記埋設部分が充填固化物によって地中に固定されていることを特徴とする落石防護網用アンカー。
【請求項４】
前記埋設部分と地上部分とのなす角度βが１３５°以上１８０°以下の範囲にあることを特徴とする請求項３記載の落石防護網用アンカー。
【発明の詳細な説明】
【技術分野】
【０００１】
本発明は、落石の発生を防止するために傾斜面に設置される落石防護網装置及び落石防護網用アンカーに関する。
【背景技術】
【０００２】
落石防護網は、落石から道路や建築物を防護するために全国的に普及している傾斜面（法面）の落石対策の代表的工法による構造物である。山間部を通る道路は常に落石や土砂崩れなどに遭遇する危険性があるため、例えば特許文献１に記載されているようなポケット型落石防護網装置が斜面に設置される。ポケット型落石防護網装置は、落石を受け止めるためのポケット状のスペースを斜面に沿って形成し、落石が道路側に転がり落ちないようにしている。
【０００３】
例えば図８に示す落石防護網装置200は、道路60沿いの斜面50に岩盤が露出している場合に採用される従来構造の一例であり、防護網７等からなる防護網構造体を斜面50に沿って設置するために、その上部の斜面52にロッド状の支柱基礎３９A を有する複数本のポケット支柱３を立設し、防護網構造体を支持している。ポケット支柱３は、防護網と斜面との間にポケット状のスペース（ポケット部）49を形成するために防護網構造体を吊り下げ支持するものである。これらのポケット支柱３のフック33aにより防護網構造体を吊り下げ支持するとともに、他方のフック33bに繋がれた支柱吊りロープ20および接続金具42を介してアンカー40Aに荷重が伝わるようにしている。この種のアンカー40Aは、岩盤が露出する斜面においては岩部をドリルで穿孔して孔を形成し、孔内にアンカー基部を挿入し、液状のセメントを注入固化して定着させる。
【０００４】
しかし、図８のアンカー40Aには軸に対して偏心した剪断方向のロープ張力が負荷されるため、最初に埋設された位置からアンカー40Aの位置がずれることがある。また、ロープ20からアンカー40Aにかかる偏心荷重が過大になると、極端な場合にはアンカー40Aの頭部が変形して曲がることがある。そこで、特許文献２のポケット型落石防護網装置では、地中に埋設されたアンカーの位置ずれやアンカー頭部の曲がりを防止するために、下半部が地中に埋設され、上半部が地上に露出する円筒状の半埋設ロープガイドが提案されている。
【先行技術文献】
【特許文献】
【０００５】
【特許文献１】実公昭５７−１２０１９号公報
【特許文献２】特開２００２−１７３９３４号公報
【発明の概要】
【発明が解決しようとする課題】
【０００６】
しかし、従来工法による落石防護網装置には次の(i)〜(iii)の問題点がある。
【０００７】
(i)施工に必要な諸費用等が増加しやすいこと
巻付グリップ、ワイヤグリップ、トヨロック、ロック加工などの端末処理を多くの箇所に設ける必要があり、これら多数の端末処理に必要な材料費用、加工費用および施工費用などの工事に必要な諸費用が増大化する結果、コストが上昇する。
【０００８】
(ii)用地取得費用が高くなりやすいこと
安定した強度を得るために角度α3を大きくとって支柱構造物から離れた地盤条件の良い場所を選んでアンカー体を埋設する必要があり、広い施工範囲を確保するために用地買収費用が高くなる傾向がある。また、現地の地形や地盤などの条件によっては施工不能のケースもあり、この場合は設計段階から工法変更を余儀なくされるため、コストの増加に繋がりやすいというリスクがある。
【０００９】
(iii)アンカー体におけるサドルが大型化しやすいこと
支柱構造物から離れた位置にアンカー体を設置するため、ロープの設置角度が大きくなる。その結果、アンカー体における荷重の作用方向は水平となり、従来のアンカーにおいてはサドルへの反力が大きくなるため大規模なサドル構造物を設置する必要があった。このため、材料費用、加工費用および施工費用などが増加してコストが上昇する。
【００１０】
本発明は上記の課題を解決するためになされたものであり、施工に必要な諸費用および用地取得費用を低く抑えることができる低コストで小型の落石防護網装置及び落石防護網用アンカーを提供することを目的とする。
【課題を解決するための手段】
【００１１】
本発明に係る落石防護網装置は、落石防止の対象斜面を取り囲むように互いに間隔をあけて立設され、変位可能な継手を介してアンカーに連結された基部を有する複数の支柱と、前記支柱に吊り下げ支持され、落石の衝突エネルギを吸収する複数の縦張りロープと、前記複数の縦張りロープと交差するように支柱の相互間に張設され、落石の衝突エネルギを吸収する複数の横張りロープと、前記対象斜面を覆うように前記複数の縦張りロープおよび前記複数の横張りロープに連結支持され、落石の衝突エネルギを前記縦張りロープおよび前記横張りロープにそれぞれ伝達する防護網と、前記支柱に連結され、その一部が地中に埋設され、前記埋設部分2gが充填固化物2bによって地中に固定されたロープアンカー2aと、を具備することを特徴とする。
【００１２】
本発明に係る落石防護網用アンカーは、防護網と複数の縦張りおよび横張りロープとからなる防護網構造体にかかる荷重を支柱に支持された縦張りロープを介して受ける落石防護網用アンカーであって、前記支柱が前記縦張りロープから受ける荷重に対向する向きに張力が作用するように前記支柱に張力調整部材を介して一端が連結されたロープからなり、他端を含む部分が前記支柱が立てられた斜面の地中に埋設され、前記埋設部分2gが充填固化物2bによって地中に固定されていることを特徴とする。
【００１３】
本発明において、ロープアンカーの埋設部分は、斜面に穿孔された縦長孔に挿入され、該縦長孔に充填された充填固化物によって固定される。ロープアンカーは、支柱にターンバックルのような張力調整部材を介して接続することができる。張力調整部材により適度な張力を印加したロープアンカーの埋設部分とそれを取り囲む充填固化物（固化セメント）との間の相互作用により、ロープアンカーの定着性が向上するようになる。
【００１４】
本発明において、ロープアンカーの埋設部分2gと地上部分2eとのなす角度βを１３５°以上１８０°以下の範囲にすることが好ましい。角度βが１３５°未満になると、偏心荷重が増加してロープアンカーの埋設部分が変位しやすくなるので、その変位を防止するためにサドルを大型化することになり、施工コストが増加するばかりでなく、ある程度の広さ（面積）をもつ平坦地を斜面上に求めなければならないという用地取得上の制約を受けるようになる。一方、角度βが１８０°を超えると、ロープアンカーの埋め込み箇所より上方にある岩盤や砂礫に力が掛かるようになり、上方斜面の剥落を誘発するおそれがある。
【００１５】
本発明において、ロープアンカーの地上部分2eが埋設部分2gに移行するところに配置され、地上部分2eから埋設部分2gに伝達される引張荷重が軽減されるように地上部分2eを案内支持するサドルをさらに有することが望ましい。上記の角度βを１８０°にする場合は、ロープアンカーの埋設部分2gと地上部分2eとが一直線になるので、理論的にはサドルを挿入してもしなくても作用する力は同じであるが、実際には斜面が凸凹していることや負荷がかかったときに変位可能な継手回りに支柱が前傾することにより角度βを正確に１８０°にすることは難しい。このため、角度βを１８０°より少し小さくしてロープアンカーを「へ」の字の形状として埋設部分が引き抜き力に抵抗しうるようにすることが好ましい。サドルは、埋設部分が地中から引き抜かれないように抵抗する部材として機能するばかりでなく、ロープアンカーの末端部分を斜面に穿孔した細長孔のなかに案内するガイド機能も有している。
【００１６】
また、本発明において、ロープアンカーの地上部分と支柱とのなす角度α１が３０°以上４５°以下の範囲になるように、ロープアンカーの埋設部分2gが地中に埋設されていることが好ましい。ポケット型支柱を立設する斜面の状態にもよるが、角度α１が３０°未満になると、支柱の反対側からの防護網構造体の荷重に対して均衡する支持力が不足するようになる。一方、角度α１が４５°を超えると、支柱から離れたところまで広い用地を確保しなければならず、その分だけ施工費用が増加する。
【００１７】
本発明において、支柱は斜面に対してほぼ垂直に立てられているが、地中に埋設したアンカーにヒンジ継手を介して連結された基部を有するため、防護網構造体の荷重がかかったときにヒンジ継手まわりに支柱が前傾する。この支柱の前傾により上記の角度βおよび角度α１がそれぞれ設置時のそれから変わるが、本発明では支柱の前傾による角度α１，βの変化がそれぞれ１０°未満に抑えられるように変位可能な継手としてヒンジ継手を設計している。支柱の前傾による角度α１，βの変化量Δα１，Δβは、ヒンジ継手の支軸まわりの支柱の変位角度Δｈと支柱の地上部分（基部から頂部まで）の長さＬａとで決まる。通常の場合、支柱と斜面とのなす角度α２が９０°程度になるように支柱を立設すると、ロープ荷重がかかったときに支柱が下方側に１０°ほど少し傾斜して角度α２が１００°程度に安定する。
【発明の効果】
【００１８】
本発明によれば、斜面に縦長孔を穿孔し、穿孔した縦長孔に液状セメントを注入または充填して固化させているので、従来工法のように斜面にアンカーロッドを打設する必要がなくなり、施工コストと材料コストが大幅に削減される。
【００１９】
また、本発明によれば、過大なロープ張力にも耐えられるようになり、装置を全体として小型化することができる。このため、接続部の金具や従来のアンカー体などの付随的な部材に使用される材料を低減でき、施工に必要な諸費用を低く抑えることができる。ロープアンカーの設置角度βを180°に近づけることで、ロープ張力の作用方向とロープアンカー荷重作用方向とが近づくため、ロープ張力のロープアンカーへの伝達効率が向上し、サドルなど地盤反力への抵抗部材が不要になるか、または小型化する。また、部材の使用材料を統一することにより部材点数が減り、施工や生産管理面での優位性が得られるため、さらに低コスト化が促進される。
【００２０】
また、本発明によれば、支柱からロープアンカーの埋設部までの距離Ｌ４を小さくすることができるので、施工範囲が縮小され、施工に必要な用地取得費用を節減できるとともに樹木の伐採面積も縮小でき、施工コストの優位性が得られる。
【図面の簡単な説明】
【００２１】
【図１】道路沿いの斜面に設置された落石防護網装置を示す外観斜視図。
【図２】本発明の落石防護網装置を示す平面図。
【図３】本発明の実施の形態に係る落石防護網装置を示す断面模式図。
【図４】本発明の他の実施の形態に係る落石防護網装置を示す断面模式図。
【図５】本発明の落石防護網用アンカーを示す断面斜視図。
【図６】ロープ張力を調整するためのターンバックルを示す部分拡大図。
【図７】（ａ）は巻付けグリップを用いて端末処理されたロープ端末部を示す部分拡大図、（ｂ）は締結金具（トヨロック）を用いて端末処理されたロープ端末部を示す部分拡大図。
【図８】岩部に設置される従来の落石防護網装置を示す断面模式図。
【発明を実施するための形態】
【００２２】
以下、添付の図面を参照して本発明を実施するための好ましい形態について説明する。
【００２３】
図１と図３に示すように、本発明の落石防護網装置１は、落石が道路６０側に転がり落ちないようにするために、斜面５０に沿って防護網構造体を配置することにより斜面と防護網構造体との間にポケット状のスペース４９を形成するものである。斜面５０，５２を転がり落ちる落石は、バウンドして道路６０側にはみださないように、ポケット状のスペース４９のなかに落ち込み、袋状を成す防護網構造体の下部に誘導されて、包み込まれるようになっている。
【００２４】
図２に示すように、防護網構造体は、格子状に交差配置した縦張りロープ２および横張りロープ５に防護網７を番線などで締結して一体化した二次元的なひろがりをもつ構造物である。防護網７は、落石防護網装置の規模等に対応させて各種サイズの通常の金網や厚幅に形成した厚金網、ラス金網、厚ネット、各種の繊維網等が用いられる。防護網７の材料は、耐候性低合金鋼のような金属材料でもよいし、各種の合成樹脂繊維または天然繊維でもよい。本実施形態では、防護網７として例えば線径３．２ｍｍ、網目の開口寸法が５０ｍｍ×５０ｍｍの鋼線を編み合わせた金網を用いた。
【００２５】
縦張りロープ２は、斜面５０，５２の高所から低所にわたって互いにほぼ等ピッチ間隔に張設されている。横張りロープ５は、斜面５０，５２の等高線に沿って互いにほぼ等ピッチ間隔に張設されている。これらの縦横張りロープ２，５を防護網７上に適宜の左右、上下間隔を置いてその全面にわたり格子状に配置し、少なくとも防護網７の周縁部では結合コイルを用いて一体に連結され、適度の張力を付与して張設され、その両端部が斜面５０，５２周囲の比較的に強い岩盤にアンカー６を用いて定着されている。縦横張りロープ２，５の材料として耐候性高張力鋼（例えばJIS Ｇ３５２５）のような高強度の金鋼が用いられる。なお、縦張りロープ２と横張りロープ５との交差部は専用の締結金具により締結されている。また、縦張りロープ２の相互間には複数本の補強ロープ２１がそれぞれ挿入され、防護網構造体が補強されている。これらの補強ロープ２１は交点金具６３を用いて斜面５０，５２に支持固定されている。
【００２６】
このような二次元構造の防護網構造体は、各ロープ２，５の端部を支持する複数対の支柱３とアンカー６とによってそれぞれ支持されているが、実質的には縦張りロープ２の上端が繋がれる支柱３によって吊り下げ支持されている。このため、支柱３は、防護網構造体の大部分の荷重がかかるため、上部斜面５２にロッド状の支柱基礎３９を深く打ち込むとともに、地上にあらわれる基部にヒンジ継手３０を取り付けている。ヒンジ継手３０は、防護網構造体の荷重が支柱３にかかったときに、支柱３が僅かに前傾しうる程度の軸回り変位量を有するものである。例えば支柱３の地上部分（ヒンジ継手から頂部まで）の長さＬａが４ｍである場合、支柱３の変位角度Δｈは３°〜８°である。
【００２７】
図３に示すように、本実施形態の落石防護網装置１は、岩盤が露出する斜面５０，５２に採用される構造であり、上部の斜面５２にロッド状の支柱基礎３９を有する複数本のポケット型支柱３を立設したものである。ロッド状支柱基礎３９は、岩盤が露出する斜面５２にドリルで穿孔して細長い孔を形成し、この細長孔内に支柱基礎３９を挿入し、液状のセメントを注入固化して定着させたものである。支柱３は、上部斜面５２に対してほぼ垂直に立てられているが、地中に埋設したロッド状支柱基礎３９にヒンジ継手３０を介して連結された基部を有するため、防護網構造体の荷重がかかったときにヒンジ継手３０まわりに支柱３の地上部分が前傾するようになっている。この支柱３の前傾により上記の角度βおよび角度α１がそれぞれ設置時のそれから変わるが、支柱３の前傾による角度α１，βの変化がそれぞれ１０°未満に抑えられるようにヒンジ継手３０を設計している。なお、支柱３は、その頂部が上部斜面５２と下部斜面５０との変曲点５１よりも道路寄りに位置するように十分な長さＬａを有している。
【００２８】
これらの支柱３の頂部の一方側には金属製のフック３４ａがそれぞれ取り付けられ、これら複数のフック３４ａにより上述した防護網構造体を吊り下げ支持している。また、支柱３の頂部の他方側にも金属製のフック３４ｂが取り付けられ、これらのフック３４ｂごとにロープアンカー２ａがターンバックル３１とロッド３６を介して繋がれている。
【００２９】
図４に示すように、さらにサドル８をロープアンカーの地上部分２ｅが埋設部分２ｇに移行する斜面５２上に設置することができる。サドル８は、ロープアンカー２ａを岩盤に穿孔した孔のなかに挿入するときにロープアンカー２ａを円滑に案内するガイド機能を有する。
【００３０】
図５に示すように、ロープアンカー２ａは地上にあらわれた地上部分２ｅおよび地中に埋め込まれた埋設部分２ｇからなり、埋設部分２ｇは岩部に穿孔された縦長孔に充填されたグラウト材２ｂによって固定されている。本実施形態ではロープアンカー埋設部分２ｇの埋設長さを約２ｍとしたが、勿論これよりも埋設長さを長くすることができる。充填固化物としてのグラウト材２ｂは、所定成分のセメントモルタル材料からなるものであり、カプセル状の容器に入ったセメントミルクであってもよいし、不定形の容器に入ったセメントミルクであってもよい。また、グラウト材２ｂは、セメントミルク以外の他の不定形物を凝固又は固化させたもの（セメントの他に樹脂やガラス成分を含む混合物）であってもよい。なお、図中の符号２ｃは、ロープアンカー２ａを細長孔のほぼ中央に位置させるためのスペーサである。これらのスペーサ２ｃを適当な間隔でロープアンカー２ａに取り付けることにより、グラウト材２ｂが細長孔の最奥部まで浸入しやすくなり、グラウト材充填率が向上する。
【００３１】
サドル８がロープアンカーの地上部分２ｅが埋設部分２ｇに移行する斜面５２上に設置されている。サドル８は、ベースプレート８１およびガイド部８２を有し、ロープアンカー埋設部分２ｇとなるべき端末を含む部分を細長孔のなかに円滑に導く機能とを備えている。ベースプレート８１およびガイド部８２がガイド機能を担っている。
【００３２】
図４に示すように、サドル８は、ロープアンカーの地上部分２ｅと埋設部分２ｇとのなす角度βを１３５°以上１８０°以下の範囲に規定するものである。角度βが１３５°未満になると、偏心荷重が増加してロープアンカー埋設部分２ｇが変位しやすくなるので、その変位を防止するために抵抗部材としてのサドル８を大型化することになり、施工コストが増加するばかりでなく、ある程度の広さ（面積）をもつ平坦地を斜面上に求めなければならないという用地取得上の制約を受けるようになるからである。一方、角度βが１８０°を超えると、ロープアンカー２ａの埋め込み箇所より上方にある岩盤や砂礫に力が掛かるようになり、上方斜面の剥落を誘発するおそれがあるからである。なお、角度βを１８０°にする場合は、ロープアンカーの埋設部分２ｇと地上部分２ｅとが一直線になるので、理論的にはサドル８のような抵抗部材を挿入してもしなくても作用する力は同じであるが、実際には斜面が凸凹していることや負荷がかかったときにヒンジ継手３０回りに支柱３が前傾することにより角度βを正確に１８０°にすることは難しい。このため、角度βを１８０°より少し小さくしてロープアンカー２ａを「へ」の字の形状として埋設部分２ｇが引き抜き力に抵抗しうるようにすることが好ましい。
【００３３】
本実施形態のロープアンカー２ａは、７本の素線２１を撚り合せたストランド２２を３つ撚り合わせてなる３×７構造の１６ｍｍφ径のロープである。ロープアンカー２ａを構成する素線２１は、強度レベルが１２０ｋＮの鋼線（スチールワイヤ）である。
【００３４】
図６に示すように、ロープアンカー２ａの地上部分の端末がターンバックル３１の軸まわり回転可能に連結されている。このロープアンカー２ａの地上部分の端末は、端末金具（かしめ加工金具）をかしめ加工して端末処理されるか、または低融点合金鋳造法を用いて局所被覆して端末処理されている。ターンバックル３１はネジ駆動により長手方向に変位可能であり、ターンバックル３１によりロープアンカー２ａに作用する張力が所望の範囲に調整されるようになっている。
【００３５】
図７の（ａ）に示すように、ロープアンカー２ａ、縦張りロープ２、または横張りロープ５の端末部に巻付グリップ３３がそれぞれ取り付けられ、巻付グリップ３３の端部にロープ定着部としてのアイ３３ａが形成されている。アイ３３ａは環状をなし、保持部材としてのシンブル３５の外周溝にアイ３３ａが嵌め込まれている。この環状のアイ３３ａにはロッド３６のリング端が連結されている。
【００３６】
図７の（ｂ）に示すように、ロープアンカー２ａの端末部を折り返して、その折り返し部分に端末金具３２が取り付けられている。この端末金具３２をかしめ加工することにより、ロープアンカー２ａの端末部が処理され、環状のアイ３２ａが形成されている。この環状のアイ３２ａにはロッド３６のリング端が連結されている。
【００３７】
なお、上記の実施形態では斜面に岩盤が露出している場合に採用される構造について説明したが、本発明は岩盤露出斜面のみに適用が限定されるものではなく、斜面が厚い土砂や砂礫で覆われている場合にも本発明を適用することができる。
【００３８】
次に、落石防護網装置を構築するときの施工手順の概要について説明する。
【００３９】
先ず、施工対象となる斜面５０，５２を測地し、その測地結果に基づいて防護網を張設すべき領域の範囲を決定する。決定した領域範囲に対応する上部構造の配置を決定し、それに従ってマーキングする。すなわち、上部構造である支柱３、サドル８、およびロープアンカー埋設部分２ｇが埋設されるべき細長孔の施工予定位置を上部の緩斜面５０にそれぞれマーキングする。それらのマーキングに従って上部の緩斜面５０に支柱３を立設し、それより上部にサドル８を設置し、サドル設置部の近傍の岩盤をドリルで穿孔して細長孔を形成する。
【００４０】
次いで、穿孔した細長孔のなかに袋状のセメントミルクカプセルを挿入した後に、ロープアンカー２ａを細長孔のなかに挿入する。ロープアンカー２ａの先端部がカプセルをそれぞれ突き破り、カプセルからセメントミルクが流出し、細長孔の内部がセメントミルクで満たされる。所定時間が経過すると、セメントミルクが固化して、ロープアンカーの埋設部分２ｇが岩部に強固に固着される。セメントミルクが完全に固化してしまうまでの時間はおよそ３日間である。
【００４１】
一方では、防護網エリアの左右領域に、横張りロープ５を定着させるアンカー６の予定位置をマーキングする。それらのマーキングに従って左右領域に穿孔し、アンカー６を配置する。次いで、縦張りロープ２と横張りロープ５とを斜面５０，５２に沿ってそれぞれ張り渡し、各ロープ端部をアンカー６と締結し、これら格子状に組まれたロープ２，５に防護網７を金具や番線で締結していく。
【００４２】
以上のようにして落石防護網装置１が完成する。
【産業上の利用可能性】
【００４３】
本発明は、落石の発生を防止するために傾斜面に設置される落石防護網に利用することができる。
【符号の説明】
【００４４】
１…落石防護網装置、
２…縦張りロープ、２ａ…ロープアンカー、
２ｂ…グラウト材（セメント、充填固化物）、
２ｅ…地上部分、２ｇ…埋設部分（アンカー本体）、
２０…支柱吊りロープ（繋ぎロープ）、２１…縦補強ロープ、
３…支柱（ポケット支柱）、３０…ヒンジ継手、
３１…ターンバックル（張力調整部材）、
３２…締結金具（トヨロック）、３２ａ…アイ（ロープ定着部）、
３３…巻付グリップ、３３ａ…アイ（ロープ定着部）、
３４ａ，３４ｂ…フック（支持金具）、
３５…シンブル（保持部材）、
３６…ロッド、
３９，３９Ａ…支柱基礎（岩部用セメント固定型アンカー）、
４０Ａ…アンカー、
４９…ポケット状スペース、
５…横張りロープ、
６…アンカー、６３…交点金具（クロスクリップ）、
７…防護網、
８…サドル（抵抗部材）、８１…ベースプレート、８２…ガイド部（ロープガイド）、
５０…急斜面（対象斜面）、５２…緩斜面（対象斜面を含む）、６０…道路。
【図１】
2011074715.tif 000003
【図２】
2011074715.tif 000004
【図３】
2011074715.tif 000005
【図４】
2011074715.tif 000006
【図５】
2011074715.tif 000007
【図６】
2011074715.tif 000008
【図７】
2011074715.tif 000009
【図８】
2011074715.tif 000010